(57)【要約】      （修正有）【課題】  画面の構成を決めやすくする撮影装置と、装置に具備されている操作スイッチにより、画角枠を任意に設定及び選択可能とする事でコストアップをさけることを狙いとする。【解決手段】  ズームレンズと複数の画角を表示する画面枠と、画角選択モードを有し、前記モード設定時にズームレンズをＷＩＤＥ端まで移動することを特徴とする。ＷＩＤＥ端画角で、複数の画角枠を表示させ、所望の画角を選択することで画面構成を決めやすくするものである。【選択図】  図１
2006174023.tif 000002
【特許請求の範囲】
【請求項１】
画像を出力する液晶ディスプレイなどの表示手段と、着脱可能若しくは撮影装置と一体型のズームレンズとを具備し、前記表示手段に複数の画角を表示する画角枠と、画角枠を選択する選択手段と、選択された画角枠までレンズ焦点距離を移動させる撮影装置において、撮影用プレビュー画像に前記画角記号を複数表示し、選択された画角枠に関連づけてレンズ焦点距離を移動させる撮影モードを有することを特徴とする撮影装置。
【請求項２】
請求項１記載の撮影モードが設定された場合、ズームレンズを広角側に設定する事を特徴とする撮影装置。
【請求項３】
請求項１記載の撮影モードにおいて、前記画角枠は任意の画角に設定可能とすることを特徴とする撮影装置。
【発明の詳細な説明】
【技術分野】
【０００１】
本発明は、デジタルカメラに関し、特に撮影前のプレビュー画像に、ズームレンズの画角記号を複数表示可能とする、デジタルカメラの提供を目的とする。
【背景技術】
【０００２】
近年、デジタルカメラは高画素化され普及段階にある。デジタルカメラは撮像光をＣＭＯＳやＣＣＤ等で光電変換して、画像データを得て記録媒体に記録し、パソコンなどの外部画像処理装置に出力するように構成されており、外部画像処理装置側で印刷画像データ作成処理を行い、作成された印刷画像データをプリンタに出力して用紙上に撮影画像を印刷している。近年では、デジタルカメラとプリンタをダイレクトに接続し、撮影画像を印刷可能なものも発売されている。
【０００３】
多くのデジタルカメラは、プレビュー中の表示及び記録媒体に記録した画像データからの再生画像を表示する液晶ディスプレイを備えており、画像の解像度はメーカにより異なるが普及機型では高解像度で６４０×４８０ピクセル、標準解像度で３２０×２４０ピクセル程度のものが多い。
【０００４】
また、液晶ディスプレイは制約された大きさのデジタルカメラ上で最も見やすく、且つ出来る限り大きな画面を確保したいと言う要請から、通常はデジタルカメラの背面に設けられたり、見開きの扉の裏側に設けられている。
【０００５】
従来例として、特開平５−４８９４９では、映像モニターにズーム範囲を設定するためのズーム信号を発生するズーム範囲操作部を設け、ズーム範囲を設定するようにしたので、映像モニターの画面上に指定された範囲のズームを容易に行う事が出来る撮像装置の制御方式に関するものがある。
【特許文献１】特開平０５−４８９４９号公報
【発明の開示】
【発明が解決しようとする課題】
【０００６】
上述したように、多くのデジタルカメラは液晶ディスプレイを備え、撮影前のプレビュー画像及び記録媒体に記録した画像データからの再生画像を表示するように構成されている。
【０００７】
従来のズーム機能付き光学カメラでは、レンズの焦点距離を変動させることによってズームアップを行っている。
【０００８】
しかしながら、従来のズーム機能付き光学カメラでは、撮影前のプレビュー画像を液晶ディスプレイ上に、レンズの焦点距離に対応した画像が表示されるのみであった。
【０００９】
また、前記従来例では、ズーム連動範囲が映像モニター画面上では不明であり、表示されている画像がズームポジションのどの位置にあるかについて記載がされていない。そのため、ＷＩＤＥ端とＴＥＬＥ端及びその間における画像の大きさを比較する事ができないので、画面の構成を決め難いと言った問題があった。特に、高倍率ズームレンズを使用した場合には、ＷＩＤＥ端とＴＥＬＥ端との差が大きいので画面の構成を決めることが容易でなくなっている。
【００１０】
本発明は、上述した従来の技術の有するこのような問題点に鑑みてなされたものであり、その第１の目的とするところは、画面の構成を決めやすくなる撮影装置を提案するものである。また、本発明の第２の目的とするところは、撮影装置に具備されている操作スイッチにより、画角枠を任意に設定及び選択可能とする事で、コストアップをさけるものである。
【課題を解決するための手段】
【００１１】
上記第１及び第２の目的を達成するために、請求項１記載の撮影装置は、画像を出力する液晶ディスプレイなどの表示手段と、着脱可能若しくは撮影装置と一体型のズームレンズとを具備し、前記表示手段に複数の画角を表示する画角枠と、画角枠を選択する選択手段と、選択された画角枠までレンズ焦点距離を移動させる撮影装置において、撮影用プレビュー画像に前記画角記号を複数表示し、選択された画角枠に関連づけてレンズ焦点距離を移動させる撮影モードを有することを特徴とする。
【００１２】
また、上記第１及び第２の目的を達成するために、請求項２記載の撮影装置は、請求項１記載の撮影モードにおいて、撮影モードが設定された場合、ズームレンズをＷＩＤＥ端に設定する事を特徴とする。
【００１３】
また、上記第１及び第２の目的を達成するために、請求項３記載の撮影装置は、画角枠は任意の画角に設定可能とすることを特徴とする。
【発明の効果】
【００１４】
以上、説明したように本発明の撮影装置によれば、ズームレンズと複数の画角を表示する画角枠と、画角選択モードを具備し、前記モード設定時にズームレンズをＷＩＤＥ端まで移動することを特徴とするものである。従って、ＷＩＤＥ端の画角に対し各ズーム画角が明確になるので、画面の構成が決めやすくなる効果がある。
【００１５】
また、画角枠は任意の画角に設定可能とすることで、所望の画角が決めやすくなる効果もある。
【発明を実施するための最良の形態】
【００１６】
（第１の実施形態）
以下、本発明の各実施の形態を図１〜図４に基づき説明する。
【００１７】
図１は、本発明の第１の実施の形態に係る液晶表示画面を示した図である。
【００１８】
１０１は、ＷＩＤＥ端での画角を表しており、１０２と１０３は、ＷＩＤＥ端画角と同じアスペクト比を持つ枠線であり、１０４は、ＴＥＬＥ端画角表示枠を表している。１０２と１０３は、１０１ＷＩＤＥ端画角と１０４ＴＥＬＥ端画角の間に設定可能とするものである。
【００１９】
図２は、一眼レフタイプのデジタルカメラの構成を示す背面図である。
【００２０】
２０１は、ファインダー観察用の接眼窓である。２０２は、ＡＥ（自動露出）ロック釦、２０３は、ＡＦ（オートフォーカス）の測距点選択釦である。２０４は、カメラの設定状態を確認するための外部表示パネル、２０５は、撮影された画像の確認や選択、メニュー機能の選択・設定行う為のＬＣＤ（液晶表示器）モニター装置である。
【００２１】
２０６は、記録画素／圧縮率や日付時刻、カスタム機能など、さまざまな設定を行うためのメニュー釦、２０７は、現在カメラに設定されている内容を表示するためのＩＮＦＯ釦、２０８は、撮影画像をジャンプして表示させるためのＪＵＭＰ釦、２０９は、撮影された画像を確認する為の再生釦、２１０は、撮影画像を消去する為の消去釦、２１１は、メニュー機能で選択された項目を設定するためのＳＥＴ釦、２１２は、記録画質や日付時刻などのさまざまな設定を行う時に、項目を選択する為の移動釦、２１３は、撮影された画像を表示するＬＣＤ（液晶表示器）のバックライト照明を行う為の照明釦、２１４は、露出補正を設定するための、露出補正設定釦である。
【００２２】
図３は、本実施に係る一眼レフタイプのデジタルカメラの電気回路構成を示すブロック図である。同図において、３０１は本デジタルカメラ全体の動作を制御するマイクロコンピュータで、このマイクロコンピュータには、３０２画像表示制御回路及び３０３画像処理回路が内臓されている。３０４はレンズ制御回路で、本実施の形態は一眼レフタイプのデジタルカメラであるので、不図示の撮影レンズの駆動や絞り羽根の駆動の制御をこのレンズ制御回路が受け持っている。３０５は外部表示制御回路で、３０６外部表示装置やファインダー内の表示装置の制御を行う。３０７はスイッチセンス回路で、本デジタルカメラ内に設けられた多数のスイッチ類の信号を３０１マイクロコンピュータに伝える働きをしている。３０８はストロボ発光調光制御回路で、３０９Ｘ接点を介して接地されており、外部ストロボの制御を行う。３１０は測距回路でＡＦ（オートフォーカス）の為の被写体に対するディフォーカス量を検出する機能を有する。３１１は測光回路で、被写体の輝度を測定する機能を有する。３１２はシャッター制御回路で、３１４ＣＣＤに対して適正な露光を行う。３１３はＬＣＤモニター装置、３０６は外部表示装置、３１４はＣＣＤ、３１５はバックライト照明装置、３１６はハードディスク装置である。３１７ＳＷ１は、測光・測距などの撮影準備動作を開始させる為のスイッチであり、３１８ＳＷ２は撮影動作を開始させる為のスイッチである。カメラのレリーズ釦の１段目までの押し込みで３１７ＳＷ１がオンし、２段目までの押し込みで３１８ＳＷ２がオンするようになっている。
【００２３】
次に本実施の形態に係るデジタルカメラの動作を図４に基づき説明する。図４は本実施の形態に係るデジタルカメラの動作の流れを示すフローチャートである。まず、ステップ４０１で、メインスイッチがオン（ＯＮ）したか否かをオンするまで判断する。そして、メインスイッチがオンすると、次のステップ４０２で画角選択モードが選択されたか否かを判断する。ステップ４０２からステップ４０７が本発明の特徴であって、４０２画角選択モードが選択されると、ステップ４０４で撮影レンズのズームをＷＩＤＥ端へ移動させる。ズームレンズをＷＩＤＥ端へ移動することによりＷＩＤＥ端画角と下記に記載されている表示枠を比較することが出来る。
【００２４】
ステップ４０５で、予め設定された１０３画角表示枠１と１０２画角表示枠２とＴＥＬＥ端画角表示枠が２０５ ＬＣＤ（液晶表示器）モニター上に表示される。ここでは、便宜上表示枠は３つとしているが、表示枠の数に制限があるものではない。また、着脱可能な撮影レンズの種類によりにより画角枠を予め設定するようにしても構わない。
【００２５】
ステップ４０６では、表示されている複数の表示枠から撮影者が希望する画角を選択する。次に、ステップ４０７で前記ステップ４０６で選択された画角へ撮影レンズをズームさせる。
【００２６】
ステップ４０２で画角選択モードが選択されなかった場合、ステップ４０３で各操作ＳＷに対応した処理をマイコンにより行い、ステップ４０８へ進む。
【００２７】
このステップ４０８では、ＳＷ１がオン（ＯＮ）したか否かを判断する。このＳＷ１はレリーズ釦１０４の半押し状態のことであり、このＳＷ１がオンすると本デジタルカメラは撮影準備状態になる。そしてＳＷ１がオフ（ＯＦＦ）していればＳＷ１オン待ちとなり、またＳＷ１がオンすると、本デジタルカメラは次のステップ４０９で測光（ＡＥ）動作及び測距（ＡＦ）動作がそれぞれ行われ、撮影レンズが駆動されて焦点合わせが行われる。
【００２８】
次にステップ４０９でＳＷ２がオン（ＯＮ）したか否か判断する。このＳＷ２は、レリーズ釦が最後まで押された状態のことであり、このＳＷ２がオンすると本デジタルカメラは撮影動作を開始する。そして、ＳＷ２がオフ（ＯＦＦ）していれば前記ステップ４０９へ戻り、またＳＷ２がオンすると、次のステップ４１１でクイックリターンミラーがアップして撮影動作が開始される。次にステップ４１２でＣＣＤ３１４の蓄積が開始され、次のステップ４１３及びステップ４１４でシャッターの露光、即ち、ステップ４１３では先幕が、ステップ４１４では後幕がそれぞれ走行される。
【００２９】
次にステップ４１５でＣＣＤ３１４の蓄積が終了され、次のステップ４１６でハードディスク装置３１６から画像信号が読み出され、次のステップ４１７で全ての画像信号の読出しが終了し、ステップ４１８でクイックリターンミラーがダウンして一連の撮影動作が終了し、撮影前の状態に戻る。
【００３０】
（第２の実施の形態）
次に、本発明の第２の実施の形態を説明する。
【００３１】
請求項１記載の撮影装置であって、画角枠は任意に設定可能であり、設定方法を図５を基に下記に説明する。まず、画角選択モードが設定されると、ズームレンズはＷＩＤＥ端へ移動する。次に、画角表示枠は５０１ＴＥＬＥ端画角若しくは、５０２ＷＩＤＥ端画角に設定される。
【００３２】
この状態で、２１２移動釦を操作することにより画角枠が、５．３画角設定可能範囲を移動するものである。所望の画角に設定後、２１１ＳＥＴ釦を押下する事で、光学的にズームレンズは設定画角となる位置まで移動する。ズームレンズ移動後は、通常の撮影モードとなる。
【００３３】
本実施の形態においては、画角表示枠の設定に２１２移動釦で行い、２１１ＳＥＴ釦で実行しているが、カメラ本体の操作スイッチや、付属品のスイッチを割り当てても構わない。
【００３４】
また、画角を表示するための表記を画角枠としたが、表記方法はこれに限らずズーム範囲を示すものであれば発明の効果に影響を与えない。
【図面の簡単な説明】
【００３５】
【図１】本発明に係る画角設定モード選択時の表示を示す図である。
【図２】デジタルカメラの構成を示す背面図である。
【図３】デジタルカメラの電気回路の構成を示すブロック図である
【図４】デジタルカメラの動作の流れを示すフローチャートである。
【図５】画角選択可能範囲を表した図である。
【符号の説明】
【００３６】
１０１  ＷＩＤＥ端画角
１０２  画角表示枠１
１０３  画角表示枠２
１０４  ＴＥＬＥ端画角表示枠
５０１  ＴＥＬＥ端画角枠
５０２  ＷＩＤＥ端画角
５０３  画角設定可能範囲
【図１】
2006174023.tif 000003
【図２】
2006174023.tif 000004
【図３】
2006174023.tif 000005
【図４】
2006174023.tif 000006
【図５】
2006174023.tif 000007